Podtech/llm-jp-corpus-v4-ja_patent huggingface dataset:
(57)【要約】      （修正有）【課題】一般の家庭用小型製麺器では、取扱いが難しく使用後、形状が大きく収納するにも収納場所にも難しいという不都合を解決できる製麺器の提供。【解決手段】製麺器本体後部に万力１を加えることで少量の力で回転させることができる。本体中央部に滑り止めを形成した取っ手２を加えることで、製麺時に本体を安定させることができる。本体前部に製麺原材料を交換可能なフィルタ３加えることで、多種類の製麺を排出することができる。本体を使用しない時は戸棚に容易に収納することができる。【選択図】図１
2007167605.tif 000002
【特許請求の範囲】
【請求項１】
製麺器本体の後部に万力を設けたことを特徴とする手動式製麺器。
【請求項２】
製麺器本体の中央部に滑り止めを形成した取ってを設けたことを特徴とする手動式製麺器。
【請求項３】
製麺器本体の前部に多種類の生麺を排出するフィルタを設けたことを特徴とする手動式製麺器。
【発明の詳細な説明】
【技術分野】
【０００１】  本発明は、製麺器に関するものであり、製麺器本体中央部に滑り止めを形成した取っ手や前記本体後部に万力や前記本体前部に交換可能な多種類の麺を排出するフィルタを加えることによって一般家庭で容易に多種類の生麺を製造できる小型の手動式製麺器に関する。
【背景技術】
【０００２】  従来の家庭用小型製麺器として利用されている。この例として、特許文献１に開示されているものがある。
【特許文献１】            特開２００５−３２３９６２号公報
【発明の開示】
【発明が解決しようとする課題】
【０００３】  しかし、従来のような小型製麺器では形状が大きく収納に不便さがあり、取扱が難しいという不都合を解決することを課題とする。
【課題を解決するための手段】
【０００４】  この課題を解決するための請求項の発明は、製麺器本体の後部に万力を設けたことを特徴とする、手動式製麺器である。製麺器本体に投入した麺原材料を万力を回転させることで少量の力で麺排出できる。【０００５】  又、請求項２の発明は、製麺器本体の中央部に滑り止めを形成した取っ手を設けたことを特徴とする、手動式製麺器である。取っ手を掴むことで万力を回転させる際に安定した状態で麺製造することができる。【０００６】  また、請求項３の発明は、製麺器本体の前部に多種類の麺を排出する交換可能なフィルタを設けたことを特徴とする、手動式製麺器である。生蕎麦、ラーメン、パスタと麺の種類によって麺排出口の形状を形成した交換可能なフィルタを使い分けることができる。
【発明の効果】
【０００７】  本発明により、一般家庭で簡単に多種類の生麺を製造することができず、収納場所にも困るという不都合はおきず、手動式製麺器を使用しない場合は、一般家庭の戸棚に収納することができる。
【発明を実施するための最良の形態】
【０００８】  以下、本発明の実施の形態を図１〜図４に基づいて説明する。【０００９】  図１においては、１は製麺原材料を押し出す万力で、２は麺製造時に万力を回転させるため本体を安定させるための取っ手で、３は、万力を回転させることで製麺原材料を製麺として排出させるための交換可能なフィルタである。【００１０】  図２においては、パスタの生麺を排出する交換フィルタである。【００１１】  図３においては、生蕎麦の生麺を排出する交換フィルタである。【００１２】  図４においては、ラーメンの生麺を排出する交換フィルタである。
【産業上の利用可能性】
【００１３】  本発明に係わる家庭用小型手動式製麺器は工業的に量産することが可能であるため産業上の利用可能性を有する。
【図面の簡単な説明】
【００１４】
【図１】  本発明の実施形態を示す手動式製麺器の部分断面図である。
【図２】  パスタ用に排出口を形成したフィルタの平面図である。
【図３】  生蕎麦用に排出口を形成したフィルタの平面図である。
【図４】  ラーメン用に排出口を形成したフィルタの平面図である。
【符号の説明】
【００１５】１万力
２滑り止めを形成した取っ手
３交換可能な製麺を排出するフィルタ
４パスタ用排出フィルタ
５生蕎麦用排出フィルタ
６ラーメン用排出フィルタ
【図１】
2007167605.tif 000003
【図２】
2007167605.tif 000004
【図３】
2007167605.tif 000005
【図４】
2007167605.tif 000006
(57)【要約】【課題】  煙や臭いが少なく調理でき、肉や野菜の調理素材の旨味を引き出すジンギスカン鍋を提供する。【解決手段】  熱伝導率の高い従来の金属性ジンギスカン鍋に代わり、耐熱性粘土類に遠赤外線放射セラミックを混入しペタライトを加えて混練した原料を使用した陶磁器製ジンギスカン鍋の遠赤外線放射と低熱伝導率により課題の解決を図る。【選択図】図１
2007167602.tif 000002
【特許請求の範囲】
【請求項１】
遠赤外線効果を高め、煙や臭いを少なくすることを特徴とする陶磁器製ジンギスカン鍋。
【発明の詳細な説明】
【技術分野】
【０００１】      本発明は、ジンギスカン鍋に関するものであり、ジンギスカン鍋の材質を陶磁器製にすることにより、遠赤外線効果を高め煙や臭いの発生を抑えるようにしたものである。
【背景技術】
【０００２】      従来から、調理器具として、鉄及びステンレス等の金属製ジンギスカン鍋が利用されている。この例として、登録実用新案第３０５６１１４号などがある。
【発明の開示】
【発明が解決しようとする課題】
【０００３】      しかし、従来のような鉄及びステンレス等の金属製ジンギスカン鍋においては、熱伝導率が高いため、短時間で肉や野菜の表面がこげ、厚みのある肉や野菜の中心部には熱が通らない生焼け状態になる。また、肉や野菜の調理素材の旨みに影響を与える遠赤外線効果が少ない。さらに、調理素材の食べ頃とされる焦げ目がつく程度から炭化までの時間が短いため、煙や臭いが多量に発生しやすい。
【課題を解決するための手段】
【０００４】      この課題を解決するための本発明のジンギスカン鍋は、ジンギスカン鍋の材質を熱伝導率の低い陶磁器製にすることを特徴とし、耐熱性粘土類に遠赤外線放射セラミックを３０〜３５重量％混入した原料を用い、８００〜１２００度で焼成し、鍋本体の形状は中央を高くした球面状調理素材載置部に肉や野菜に直火を当てるための丸孔あるいは長孔は設けず、複数の凹凸スリットを有し、周縁部には油溜受部を有する。
【発明の効果】
【０００５】      本発明により、遠赤外線放射にて肉や野菜の調理素材への熱浸透性を高め、焦げつかせずに調理が可能となり、複数の凹凸スリットの凸部に支持された状態での肉や野菜の調理素材は鍋本体の温度より低い温度で加熱されるため、調理素材の表面炭化および煙や臭いの発生を抑えることができる。
【発明を実施するための最良の形態】
【０００６】      本発明ジンギスカン鍋の製造は、耐熱性粘土類に遠赤外線放射セラミックを３０〜３５重量％混入し、さらに耐熱食器の原料として使用されるリチューム長石からなるペタライトを１５〜２０重量％を加えて混練し、この原料を成型し、防水性を有する釉薬を施し、８００〜１２００度で焼成を行なう。【０００７】      ペタライトを含む耐熱性粘土類からなる陶磁器は熱衝撃に強く、ガスコンロや炭火等で直火使用できる。
【産業上の利用可能性】
【０００８】      本発明に係る陶磁器製ジンギスカン鍋は、工業的に量産することが可能であるため、産業上の利用可能性を有する。
【図面の簡単な説明】
【０００９】
【図１】      本発明の一実施の形態である陶磁器製ジンギスカン鍋を示した断面図である。
【図２】      本発明の一実施の形態である陶磁器製ジンギスカン鍋の球面状調理素材載置部に施された凹凸スリット部の断面図である。
【符号の説明】
【００１０】１  球面状調理素材載置部
２  凹凸スリット部
３  油溜受部
【図１】
2007167602.tif 000003
【図２】
2007167602.tif 000004
(57)【要約】      （修正有）【課題】病床中の人や、高齢で身体不自由のため入浴困難な人の、寝た状態での身体の洗浄時に、洗浄液や洗浄水が周辺に飛び散らない洗浄器を提供する。【解決手段】洗浄する面を覆う洗浄カップ１に、洗浄液を高圧で送り込む送水パイプ２と、洗浄面に吹き付けた洗浄液を高圧空気で洗浄面から吹き飛ばす送風パイプ３と、洗浄面から吹き飛ばされた洗浄液を吸引回収する吸引パイプ４とを設け、洗浄カップ１を身体に密着させた状態で、洗浄液を吹き付け、吹き飛ばし、回収することを可能とした。【選択図】図１
2007167601.tif 000002
【特許請求の範囲】
【請求項１】
洗浄液、洗浄水などを洗浄カップ内で物体の表面に吹き付けて洗浄し、その吹き付けた液を、洗浄カップ内で回収する為のパイプを有する、カップ式の洗浄器
【発明の詳細な説明】
【技術分野】
【０００１】本発明はカップ式の洗浄器に洗浄液をホースで高圧で送り込み、物体の表面を部分的に洗浄し、その液をもう１本のホースで吸引回収できる器具です
【背景技術】
【０００２】洗浄液や洗浄水がカップ式の洗浄器から外に飛び散らない為、かぎられた部分や場所での洗浄に利用できる
【発明の開示】
【発明が解決しようとする課題】
【０００３】病床の人の身体の洗浄、ベッドで寝たきりで入浴困難な人への寝た状態での身体の洗浄
【課題を解決するための手段】
【０００４】カップ式洗浄器を使用することにより、ベッドででも、石鹸水などの洗浄水で身体を洗うことが出来る
【発明の効果】
【０００５】介護者が身体の不自由者をタオルなどで身体を拭いているが、カップ洗浄器を使用したほうが、労力、清潔、爽快感、衛生のどの分野にも勝っている
【発明を実施するための最良の形態】
【０００６】より多くの病院、老人ホーム、身体障害者施設、寝たきり老人などがいる家庭などで多く使用できるよう、安値な製品化
【実施例】
【０００７】入浴が困難な人への使用、本人が片手で清潔にしたい所を好きな時間に洗浄入浴の巡回サービスが待ちきれない場合の洗浄など【０００８】洗浄水にお湯を使用することによる入浴効果も期待できる
【産業上の利用可能性】
【０００９】衛生上なくてはならない物になると思われます
【図面の簡単な説明】
【００１０】
【図１】洗浄カップとホースの役目の説明
【図２】洗浄液、洗浄水を洗浄面に高圧で吹きつけている図（但し、図２、図３、図４は同時進行）
【図３】洗浄面に吹き付けた洗浄液を、高圧空気でカップ内に吹き飛ばしている図（但し、図２、図３、図４は同時進行）
【図４】吹き飛ばした洗浄液を吸引パイプで回収している図（但し、図２、図３、図４は同時進行）
【図５】ブラシ付き洗浄カップ（交換用）の図
【図６】手元スイッチ付き洗浄カップ
【符号の説明】
【００１１】１  洗浄カップ
２  洗浄液、洗浄水の送水パイプ
３  吹き飛ばし用、高圧空気の送風パイプ
４  洗浄液の吸引パイプ
５  ブラシ付き洗浄カップ（付け替え可能）
６  洗浄カップの手元スイッチ
【図１】
2007167601.tif 000003
【図２】
2007167601.tif 000004
【図３】
2007167601.tif 000005
【図４】
2007167601.tif 000006
【図５】
2007167601.tif 000007
【図６】
2007167601.tif 000008
(57)【要約】【課題】  従来のバットは、握力強化、瞬発力と操作性の向上、スイングスピードアップ、振動減衰性、握力の低下を軽減し持続力が得られるような総合性に優れたものはなかった。【解決手段】  手のひらの握り状態と同じように、グリップにグリップストッパーを設けることにより、握力が強化し、瞬発力がアップし、振動減衰と操作性が向上し、スイングスピードがアップしさらに、グリップストッパーが第二のストッパーとなり滑りが軽減されることにより、総合性にすぐれたバットを提供できる。【選択図】図１
2007167604.tif 000002
【特許請求の範囲】
【請求項１】
グリップに沿って、手のひらに収まるように湾曲した楕円状のグリップストッパーを設けたバット。
【発明の詳細な説明】
【技術分野】
【０００１】  本発明は、握力の強化と瞬発力、振動減衰性と操作性の向上、スイングスピードをアップしさらに、滑りを軽減するよう図ったバットに関する。
【背景技術】
【０００２】  従来のバットには、移動グリップにてバットコントロール低下しないように対応したものがある。（例えば、特許文献１参照）。【０００３】  以下、図に示すようにグリップに取り付け可能のものである。【特許文献１】特開平０４−９７４２８号  広報
【発明の開示】
【発明が解決しようとする課題】
【０００４】  以上に述べた従来のグリップでは、握力の強化と瞬発力、振動減衰性と操作性の向上、スイングスピードをアップしさらに、滑りを軽減するような総合性に優れたものではなかった。【０００５】  本発明は、このような従来の構成が有していた問題を解決しようとするものであり、握力の強化と瞬発力、振動減衰性と操作性の向上、スイングスピードをアップしさらに、滑りを軽減するバットを実現することを目的とするものである。
【課題を解決するための手段】
【０００６】  そして、本発明は上記目的を達成するために、グリップになだらかに湾曲したラクビーボールのような楕円状の凸のグリップストッパーを設けた。【０００７】  上記の解決手段による作用は次の通りである。すなわち、グリップを握って力が入る強力な手のひらと指の状態は、小指からなる径が１番小さく次に人差し指からなる径であるから、手のひらと指の状態と同じようにグリップに湾曲した楕円状の凸のグリップストッパーを設けることにより、握り手とグリップストッパーが自然の握りの状態で一体化することにより、握力が強化し、瞬発力がアップし、振動減衰と操作性が向上し、スイングスピードがアップしさらに、楕円状の凸グリップストッパー上部を、人差し指と親指で握り締めることでストッパーの強化が得られる。
【発明の効果】
【０００８】  上述したように本発明のバットは、握り手とグリップストッパーが自然の形の状態で一体化することにより、握力が強化し、瞬発力がアップし、振動減衰と操作性が向上し、スイングスピードがアップしさらに、グリップストッパーの上が第二のストッパーとなる、優れたバットを提供できる。【０００９】  また、上記のグリップの、グリップストッパー、グリップエンドの位置、形態、大きさ、などにはこだわっていないたとえば、子供と大人の手の大きさに違いがあるように、使用者に合ったより良い位置、形態、大きさが必要である。
【発明を実施するための最良の形態】
【００１０】  以下、本発明の実施の形態を図１〜図３に基づいて説明する。【００１１】  図においては、バットの１はグリップで、２はグリップエンドであり、楕円状の凸の３グリップストッパーを設け、４はグリップストッパー下で、５はグリップストッパー上である。【００１２】  以下、上記構成を説明する。バットの１はグリップで、２はグリップエンドで、それより連なる外周に沿って湾曲した楕円の凸の３グリップストッパーを設け、４はグリップストッパー下で、５はグリップストッパー上である。１グリップと２グリップエンドより連なる４グリップストッパー下部分を小指に当てて握り、手のひらで４グリップストッパーを包み、５グリップストッパー上を人差し指と親指で握り締めることにより自然の形の状態で一体化し、握力が強化し振動減衰性が軽減され、瞬発力を得ることにより操作性の向上、スイングスピードがアップしさらに、５グリップストッパー上を人差し指と親指で握り締めることにより第二のストッパーとなり、総合性にすぐれたバットを提供できる。
【図面の簡単な説明】
【００１３】【図１】本発明の実施形態を示すバットを横から見た外観図
【図２】同グリップエンドから斜め横から見た外観図
【図３】同グリップを横から見た外観図
【符号の説明】
【００１４】１  グリップ２  グリップエンド３  グリップストッパー４  グリップストッパー下５  グリップストッパー上
【図１】
2007167604.tif 000003
【図２】
2007167604.tif 000004
【図３】
2007167604.tif 000005
(57)【要約】【課題】  従来の靴カバーは、靴カバーと靴及びズボンの間に隙間があり見た目が良く（不細工）無かった。【解決手段】  靴カバー本体と脛・甲当てを別ける事により、脛・甲当てに設けたフックの位置を調整する事により、靴及びズボンとを密着出来る様にし、見た目を良くすることが出来る。【選択図】図３
2007167606.tif 000002
【特許請求の範囲】
【請求項１】
靴カバーと脛・甲当てを別けることにより、靴及びズボンとを密着出来ることを特徴とする靴カバー。
【発明の詳細な説明】
【技術分野】
【０００１】  本発明は、靴カバーに関するものであり、靴カバーと脛・甲当てを別けることにより靴及びズボンとを密着出来るようにしたものである。
【背景技術】
【０００２】  従来から、靴カバーは存在している。
【特許文献１】特開平２００４−３０５４２７号公報
【発明の開示】
【発明が解決しようとする課題】
【０００３】  しかし、従来の靴カバーは、靴カバーと靴及びズボンの間に隙間があり見た目が良く（不細工）無かった。
【課題を解決するための手段】
【０００４】  この課題を解決するための請求項１の発明は、靴カバー本体と脛・甲当てを別ける事により、脛・甲当てに設けたフックの位置を調整する事により、靴及びズボンとを密着出来る様にし、見た目を良くすることを特徴とした靴カバーである。
【発明の効果】
【０００５】  上述したように本発明の靴カバーは、脛・甲当てに設けたフックの位置を調整して見た目を良く出来る靴カバーを提供する。
【発明を実施するための最良の形態】
【０００６】  以下、本発明の実施の形態を図１〜図４に基づいて説明する。【０００７】  靴（ブーツ）を履きその上より靴カバーを履く、靴カバーの脛側及び上側を折りたたみその上に予め靴（ブーツ）及び太股の長さにフックを調整した脛・甲当てをセットする。
【図面の簡単な説明】
【０００８】
【図１】  靴カバー側面図
【図２】  脛・甲当て正面図
【図３】  使用時斜視図
【図４】  フック部詳細図
【符号の説明】
【０００９】    １    靴カバー
２    脛・甲当て
３    フック
４    滑り止めＡ
５    滑り止めＢ
【図１】
2007167606.tif 000003
【図２】
2007167606.tif 000004
【図３】
2007167606.tif 000005
【図４】
2007167606.tif 000006
(57)【要約】      （修正有）【課題】睡眠時無呼吸防止と鼾軽減を目的とする。【解決手段】まずは、縦４０ｃｍ、横２７ｃｍ、厚さ１０ｃｍの布製のバッグを作り、その中にきっちり入るこぶ付きプラスチックケースを入れる。就寝時にそのバッグを背中にあてがい、カラーテープに縫い込んだマジックテープ（登録商標）で作ったベルトでもって、体と一体になるよう合体させる。そこで、横寝か伏せ寝をする事になるが、仰向け寝はバッグが壁の役目をしているので、なりにくいし、なったとしても一時的なものである。従って、そのことが鼾の軽減に大いに役立っていると考える。実際、考案者は長年睡眠時無呼吸におびえてきたが、上記のような試作品を作り、現在も使用中である。  今では、無呼吸は消え、軽めの鼾だけが残っている。そのバッグは、体が嫌がる程拘束はしないし、重量も５５０ｇで、手軽に取り扱いが可能である。【選択図】なし【特許請求の範囲】
【請求項１】
布製のバッグの片面の四隅よりに縫込んだ四本のカラーテープを、その先端から１０ｃｍのところまで、それぞれマジックテープ（登録商標）と縫い合わせ、そしてそのバッグの中にきっちり入るこぶ付プラスチックケースを備えた睡眠時無呼吸防止のための健康バッグ。
【発明の詳細な説明】
【技術分野】
【０００１】  本発明は、寝具に関するものであり、寝具の形をどのようにすれば横寝が長いこと持続可能かについて考えをめぐらしたものである。
【背景技術】
【０００２】  従来から鼾を改善する為の寝具として色々と発明や考案がなされている。この１例として、特許文献に開示されている。
特開２００３−０５２７３０号公報
【発明の開示】
【発明が解決しようとする課題】
【０００３】  しかし、これまでの寝具の形は体がいやがるものが多く、横寝を長く持続させることに欠けていたと思う。
そこで本発明は、いかにして長く横寝させるかを追求したものである。
【課題を解決する手段】
【０００４】  この課題を解決する為の請求項１の発明は、マジックテープ（登録商標）で以って体とバッグとを適度にしめて一体感をもたせる。
そこで体の左右を下にして横寝をごく自然に繰り返すようになる。
それに反して、仰向け寝はバッグが壁の役目をなしているのでなかなかなりにくい。
【発明の効果】
【０００５】  発明者はその試作品を作り、約３年使用した。現在も使用中でその結果、無呼吸は消え、鼾も軽減している
【発明を実施するための最良の形態】
【０００６】  図１に示してある通り、バッグは四角形の箱形が最良で、それ以外の形は課題の解決には不向きと考える。
【産業上の利用可能性】
【０００７】  医療装置としての本発明は量産して人々の悩みを解決なしうるものと思います。
【手続補正書】
【提出日】平成19年3月8日(2007.3.8)
【手続補正１】
【補正対象書類名】明細書
【補正対象項目名】全文
【補正方法】変更
【補正の内容】
【発明の詳細な説明】
【技術分野】
【０００１】  本発明は、寝具に関するものであり、寝具の形をどのようにすれば横寝が長いこと持続可能かについて考えをめぐらしたものである。
【背景技術】
【０００２】  従来から鼾を改善する為の寝具として色々と発明や考案がなされている。この１例として、特許文献に開示されている。
特開２００３−０５２７３０号公報
【発明の開示】
【発明が解決しようとする課題】
【０００３】  しかし、これまでの寝具の形は体がいやがるものが多く、横寝を長く持続させることに欠けていたと思う。
そこで本発明は、いかにして長く横寝させるかを追求したものである。
【課題を解決する手段】
【０００４】  この課題を解決する為の請求項１の発明は、マジックテープ（登録商標）で以って体とバッグとを適度にしめて一体感をもたせる。
そこで体の左右を下にして横寝をごく自然に繰り返すようになる。
それに反して、仰向け寝はバッグが壁の役目をなしているのでなかなかなりにくい。
【発明の効果】
【０００５】  発明者はその試作品を作り、約３年使用した。現在も使用中でその結果、無呼吸は消え、鼾も軽減している
【発明を実施するための最良の形態】
【０００６】    図１に示してある通り、バッグは四角形の箱形が最良で、それ以外の形は課題の解決には不向きと考える。
【産業上の利用可能性】
【０００７】  医療装置としての本発明は量産して人々の悩みを解決なしうるものと思います。
【図面の簡単な説明】
【０００８】
【図１】布製のバックの立体図である。
【図２】プラスチック製のケースの立体図である。
【図３】バックを背中にあてがい、寝ている立体図である。
【符号の説明】
【０００９】１  布製のバック
２  カラーテープ
３  マジックテープ（登録商標）
４  ジッパー
５  プラスチックのケース
６  こぶ
７  枕（プラスチック製か木製）
(57)【要約】      （修正有）【課題】新しいデザインの墓前灯篭を提供する。【解決手段】火袋１となる角柱の石材の一部を図１の様に欠切し、背面に火口２を刻設する。石板５に光が透過できるよう彫刻窓３を製作し、それらを当着し、火袋１に固着する。火袋１の上部に宝珠４を接着し墓前灯篭とする。【選択図】図１
2007167661.tif 000002
【特許請求の範囲】
【請求項１】
火袋を、数個の石材で形設した墓前灯篭。
【発明の詳細な説明】
【技術分野】
【０００１】  この発明は墓石に設置する墓前灯篭に関するものである。
【背景技術】
【０００２】  墓前灯篭は墓石の献灯として取り付け使用されてきたが、現在では明かりをともすことは少なく墓石デザインの装飾の一部材として使用される。
【発明の開示】
【発明が解決しようとする課題】
【０００３】  墓前灯篭は石材を使用して製作される。特に火袋の加工には高い技術を求められる。このため加工の困難な光を透過させる部分、彫刻の部分、それらを一つのパーツとして制作し形設する。旧来の灯篭の基礎、竿、中台などを省略し、火袋の部分に意匠をこらした新しいデザインの灯篭を提供する。
【課題を解決するための手段】
【０００４】  墓前灯篭を墓石門柱、外柵の上に載置し、火袋の加工の困難な光を透過させる部分、彫刻の部分に意匠をこらし、それらを形設した新しいデザインの灯篭を製作する。
【発明の効果】
【０００５】火袋を数個の石材で形設するため、１個の石材を刻設する火袋よりも複雑な加工を短時間に製作できる。
【発明を実施するための最良の形態】
【０００６】図１、火袋（１）となる角柱の石材の一部を図１の様に欠切し、背面に火口（２）を刻設する。石板（５）に光が透過できるよう彫刻窓（３）を製作し、それらを当着し、火袋（１）に固着する。火袋（１）の上部に宝珠（４）を接着し墓前灯篭とする。【０００７】図２、火袋（１ａ）となる三角柱の石材の一部を欠切し、背面に火口（２ａ）を刻設する。石板（５ａ）に光が透過できるよう彫刻窓（３ａ）を製作し、それらを当着し、火袋（１ａ）に固着する。火袋（１ａ）の上部に宝珠（４ａ）を接着し墓前灯篭とする。【０００８】火袋（１ｂ）となる円柱の石材の一部を欠切し、背面に火口（２ｂ）を刻設する。石板（５ｂ）に光が透過できるよう彫刻窓（３ｂ）を製作し、それらを当着し、火袋（１ｂ）に固着する。火袋（１ｂ）の上部に宝珠（４ｂ）を接着し墓前灯篭とする。【０００９】図３、火袋（１ｃ）となる球体の石材の一部を欠切し、背面に火口（２ｃ）を刻設する。石板（５ｃ）に光が透過できるよう彫刻窓（３ｃ）を製作し、それらを当着し、火袋（１ｃ）に固着する。火袋（１ｃ）の上部に宝珠（４ｃ）を接着し墓前灯篭とする。【００１０】図４、火袋（１ｄ）となる円柱の石材の一部を図４の様に欠切し、背面に火口（２ｄ）を刻設する。湾曲した石板（５ｄ）に光が透過できるよう彫刻窓（３ｄ）を製作し、それらを火袋（１ｄ）に固着する。火袋（１ｄ）の上部に宝珠（４ｄ）を接着し墓前灯篭とする。【００１１】火袋（１ｆ）となる角柱の石材の一部を欠切し、背面に火口（２ｆ）を刻設する。湾曲した石板（５ｆ）に光が透過できるよう彫刻窓（３ｆ）を製作し、それらを火袋（１ｆ）に固着する。火袋（１ｆ）の上部に宝珠（４ｆ）を接着し墓前灯篭とする。【００１２】火袋（１ｇ）となる三角柱の石材の一部を欠切し、背面に火口（２ｇ）を刻設する。湾曲した石板（５ｇ）に光が透過できるよう彫刻窓（３ｇ）を製作し、それらを火袋（１ｇ）に固着する。火袋（１ｇ）の上部に宝珠（４ｇ）を接着し墓前灯篭とする。
する。【００１３】火袋（１ｈ）となる球体の石材の一部を欠切し、背面に火口（２ｈ）を刻設する。湾曲した石板（５ｈ）に光が透過できるよう彫刻窓（３ｈ）を製作し、それらを火袋（１ｈ）に固着する。火袋（１ｈ）の上部に宝珠（４ｈ）を接着し墓前灯篭とする。
【図面の簡単な説明】
【００１４】
【図１】火袋を、数個の石材で形設した墓前灯篭の分解斜視図
【図２】火袋を、三角柱の形状に製作した墓前灯篭の正面図
【図３】火袋を、球体の形状に製作した墓前灯篭の正面図
【図４】湾曲した石板を火袋に当着した墓前灯篭の分解斜視図
【図５】火袋を、数個の石材で形設した墓前灯篭の正面図
【図６】火袋を、数個の石材で形設した墓前灯篭のＡ−Ａ線断面図
【符号の説明】
【０００１５】１      火袋
２      火口
３      彫刻窓
４      宝珠
５      石板
１ａ    火袋
２ａ    火口
３ａ    彫刻窓
４ａ    宝珠
５ａ    石板
１ｂ    火袋
２ｂ    火口
３ｂ    彫刻窓
４ｂ    宝珠
５ｂ    石板
１ｃ    火袋
２ｃ    火口
３ｃ    彫刻窓
４ｃ    宝珠
５ｃ    石板
１ｄ    火袋
２ｄ    火口
３ｄ    彫刻窓
４ｄ    宝珠
５ｄ    湾曲した石板
１ｆ    火袋
２ｆ    火口
３ｆ    彫刻窓
４ｆ    宝珠
５ｆ    湾曲した石板
１ｇ    火袋
２ｇ    火口
３ｇ    彫刻窓
４ｇ    宝珠
５ｇ    湾曲した石板
１ｈ    火袋
２ｈ    火口
３ｈ    彫刻窓
４ｈ    宝珠
５ｈ    湾曲した石板
【図１】
2007167661.tif 000003
【図２】
2007167661.tif 000004
【図３】
2007167661.tif 000005
【図４】
2007167661.tif 000006
【図５】
2007167661.tif 000007
【図６】
2007167661.tif 000008
(57)【要約】【課題】オンラインゲームの運営側、管理側にとって、簡単、容易でかつ強力な、ゲーム内通貨のマネーサプライをコントロールする手段を提供する。【解決手段】ゲーム内に、ゲーム内中央銀行とゲーム内民間銀行を設け、ゲームのプレイヤーに対するデット（融資、貸し出し）を通じてマネーサプライをコントロールすることを特徴とする。【選択図】  なし【特許請求の範囲】
【請求項１】
オンラインゲーム内に、ゲーム内民間銀行と、ゲーム内中央銀行とを設け、プレイヤーに対するゲーム内通貨のデット（融資、貸し出し）行動を通じて、ゲーム内通貨のマネーサプライの総量をコントロールするシステム。
【発明の詳細な説明】
【技術分野】
【０００１】
この発明は、オンラインゲーム内に中央銀行を設けて、ゲーム内通貨の総量、つまりマネーサプライをコントロールするというものである。
【背景技術】
【０００２】
従来、オンラインゲーム内のゲーム内通貨のマネーサプライを効率的にコントロールする方法は無かった。
【発明の開示】
【発明が解決しようとする課題】
【０００３】
これは次のような欠点があった。
従来、ゲーム内通貨のマネーサプライの総量をコントロールしようと思ったときに、たとえばマネーサプライを増やそうとすれば、モンスターを倒して出てくるマネーの量を増やしたり、あるいはイベントやクエストをこなして得られるマネーの量を増やすと同時に、ＮＰＣ等から買う必要のある消費系アイテムの値段を下げる、そして時間が経過するのを待つ、という手順を踏む必要があった。また逆に、マネーサプライを引き締める方向、つまり、マネーサプライを減少させる方向に操作しようと思ったら、さきほどマネーサプライを増やしたのとは逆に、モンスターを倒して出てくるマネーの量を減らし、あるいはイベントやクエストをこなして得られるマネーの量を減らすと同時に、ＮＰＣ等から買わねばならない消費系アイテムの値段を上げる、という方向でゲーム内の物価を操作せざるを得ない。
（１）これの問題点の一つ目は、まず、ゲームの運営側、管理側が、ゲーム内の物価をどういう方向に操作、誘導しようとしているか、ゲーム内のマネーサプライを増やそうとしているのか、減らそうとしているのか、ということが、末端ユーザーにすぐに丸わかりになってしまうことである。なぜなら、ゲーム内のアイテムの値段を上げたり下げたりしてコントロールするため、その数字を見ればゲームの運営側が何を考えているのか、すぐに丸わかりになってしまうからである。
（２）また問題点の二つ目は、マネーサプライを狙った方向に誘導しはじめて、そして実際に効果が出るまで時間がかかるということである。
（３）さらに問題点の三つ目は、管理側が狙ったポイントに具体的に高い精度でマネーサプライをうまく誘導させることが非常に困難であるということである。
（４）そして問題点の四つ目は、消費系アイテムの値段を上げると、ユーザーの強い反発を招くということである。
（５）具体的に起きた事例として、ガンホーのラグナロクオンライン上で、アルバイトのＧＭ、ゲームマスターがゲームの管理システムを悪用して、ゲーム内通貨のマネーサプライの総量の１０％ものゲーム内通貨を勝手に作り出して、ＲＭＴ（リアルマネートレード）業者に売っていたという事件がある。この事件が発覚した後、ゲームの運営会社であるガンホーは、増えすぎたマネーサプライを元の水準に戻そうとしたが、そもそもどうやったらマネーサプライをコントロールできるのか、ということがわからなかったため、マネーサプライの引き締めはうまくいかなかったようである。
本発明は、以上のような欠点をなくすためになされたものである。
【課題を解決するための手段】
【０００４】
ゲーム内に中央銀行と民間銀行を設け、デット（融資、貸し出し）を通じてゲーム内通貨のマネーサプライの総量を管理し、コントロールする。
本発明は、以上の構成よりなるゲーム内通貨のマネーサプライコントロールシステムである。
【発明の効果】
【０００５】
ゲーム内に設けた民間銀行が、ゲーム内のプレイヤーに対して、デット（融資、貸し出し）を通じてゲーム内通貨を貸し付けたり、貸しはがしたりして、マネーサプライをコントロールするので、ゲームの運営側、管理側にとって、効率的にマネーサプライのコントロールができる。また、ゲーム内の民間銀行が複数設置された場合は、ゲーム内の中央銀行が、すべての民間銀行が行う貸し出し行動と貸しはがし行動を統率する。これにより、ゲームの運営側、管理側は,ゲーム内の中央銀行の統率権さえ握っておけばゲーム内の民間銀行の貸し出し行動と貸しはがし行動を通じて、ゲーム内のすべてのマネーサプライのコントロールができる。
【発明を実施するための最良の形態】
【０００６】
以下、本発明を実施するための最良の形態について説明する。
ゲーム内にゲーム内民間銀行を設け、このゲーム内民間銀行はゲーム内のプレイヤーに対して、ゲーム内通貨の貸し出し、および回収業務を行う。プレイヤーに対して貸し出しを行えば、マネーサプライは増大し、また、プレイヤーに貸し付けたゲーム内通貨を回収すれば、ゲーム内のマネーサプライは減少する。また、ゲーム内中央銀行を設置し、このゲーム内中央銀行は、ゲーム内のマネーサプライを増加させるのか、あるいは減少させるのか、ということを決定し、増大させると判断した時は、ゲーム内民間銀行に対して、プレイヤーに対する、ゲーム内通貨の貸し出しを増大させるように指示し、また、ゲーム内通貨のマネーサプライを減少させる、と決断したときには、ゲーム内民間銀行に対し、プレイヤーに対するゲーム内通貨の貸し出しを減少させ、また、いままでプレイヤーに対して貸し付けていたゲーム内通貨を回収（いわゆる貸しはがし）するように命ずる。これにより、ゲーム内中央銀行のコントロール権を握っている者が、ゲーム内のマネーサプライをコントロールすることができる。通常は、ゲームの運営側、管理側がゲーム内中央銀行をコントロールする
本発明は、以上のような構造である。
(57)【要約】【課題】浴用のタオルに関するものであり、独りで背中を洗うとき、細長く丸めたタオルの中央部分に膨らみをもたせると、背中が洗い易くなり、背中の洗い残しを解消することができる。【解決手段】タオルの中央部分に膨らみをもたせるために、浴用のクッション材、例えば、折り畳んだハンドタオルや布製のあか擦り、浴用スポンジ、ヘチマなどを簡単にタオルに取り付けられるよう、タオルに一対の切り込みを入れた。その一対の切り込みに浴用のクッション材の両端をはめ込むだけで、タオルの中央部分が膨らみ、背中を楽に洗うことができる。【選択図】図２
2007167350.tif 000002
【特許請求の範囲】
【請求項１】
長方形のタオルの長さ方向の中心線を跨ぎ、かつ、タオルの幅方向の中心線からみて、上または下半分のいずれかの、その中心部分を含む領域に、一対の長さ４ｃｍ〜５ｃｍ前後の切り込みを、相互の間隔が約１０ｃｍ〜２５ｃｍとなるように形成したタオル。
【発明の詳細な説明】
【技術分野】
【０００１】
本発明は、タオル、特に浴用タオルに関するものである。
【背景技術】
【０００２】
独りで自身の背中を洗う際、背骨や肩甲骨などの回りは洗いづらく、洗い残しが生じる
。それ故、タオル中央に小袋をつけて浴用スポンジを小袋に入れるタオルや、タオルの中央部分に３ヶ所ほどひだを縫いつけたり、合成繊維の布を縫いつけてタオルの中央部分を膨らませ、背中を洗い易くしたタオルは従来より提案されている。
しかし、これらのタオルを折り畳んで背中以外の身体を洗うには、厚ぼったくて使いづらく、また、厚ぼったいタオルは、濯いだり絞ったりすることがしづらく扱いにくい。そのうえ、縫いつけた部分が垢や雑菌のたまり場となりがちである。
【特許文献１】特開２００２−２６３０２９号公報
【発明の開示】
【発明が解決しようとする課題】
【０００３】
本発明の課題は、背中を洗い易くするために、タオルの中央部分に浴用のクッション材
、例えば、折り畳んだハンドタオルや布製のあか擦り、浴用スポンジ、ヘチマなどを簡単に取り付けることができ、また、背中以外を洗うときは、タオルからクッション材を楽に取り外すことができるように、身体の洗う箇所に応じて、浴用のクッション材の取り付け取り外しが簡単に出来るタオルを提供することにある。
【課題を解決するための手段】
【０００４】
本発明は、タオルに一対の切り込み（スリット）を入れることにより、浴用のクッション材の両端をその切り込みに差し込むだけで、クッション材をタオルに簡単に取り付けることができるようにしたものである。しかも、一対の切り込みは、タオルの長さ方向の中心線を跨ぎ、かつ、幅方向に対しては、中心線からみて上または下半分のいずれかの、その中心部分を含む領域に、４ｃｍ〜５ｃｍ前後の幅で、相互の間隔が１０ｃｍ〜２５ｃｍ程になるようにいれてある。このように、タオルの幅方向に対して、中心線をずらして切り込みを入れることにより、切り込み部分の中心線からみて、タオルに幅広い部分と狭い部分が生じ、クッション材は、その幅広い部分でしっかり包むことができ、背中を洗う際にタオルに力がかかってもクッション材はずれることがない。
なお、切り込み部分には、ロックミシンを掛けてボタンホールのように纏り、穴かがりをして、切り込み部分の縁がほつれないように縫い込みがしてある。
【発明の効果】
【０００５】
本発明の切り込みを入れたタオルは、浴用のクッション材の両端を切り込みに差し込んで、両端を押え込むことにより、背中を洗う際にタオルに力がかかっても、クッション材がずれないようにしたものであり、簡単にタオルの中央部分に膨らみをもたせることができる。また、タオルの幅方向に対し、中心線をずらして一対の切り込みが入れてあるため
、クッション材はタオルの幅広い部分でしっかり包むことができ、安定した状態で背中を洗うことができる。
なお、クッション材を切り込みから外せば、元の平らなタオルに戻り、タオルを折り畳んでも厚ぼったくないため、握り易く、背中以外の身体を洗う場合でも使い易い。また、タオルを濯ぎ絞ることも楽である。
【発明を実施するための最良の形態】
【０００６】
以下、本発明の一対の切り込みを入れたタオルの実施例を説明する。
図１は、厚み１、５ｍｍ程のパイル地のタオルの平面図であり、長方形のタオルの長さ方向に対しては、中心線をはさんで左右に約１０ｃｍ〜２５ｃｍ前後の間隔をとり、幅方向に対しては、幅方向の中心線からみて、上または下半分のいずれかの、その中心部分を含む領域に、長さ４ｃｍ〜５ｃｍ前後の切り込みを一対入れた形態である。
図２は、その一対の切り込みにポリウレタン製の浴用スポンジの両端をはめ込んだ状態であり、図３は、図２の浴用スポンジをはめ込んだタオルをねじって丸めた状態である。
【産業上の利用可能性】
【０００７】
以上のように本発明は、浴用のクッション材の取り付け取り外しが簡単にできるようにするために、タオルに一対の切り込みを入れたものである。その一対の切り込みに、浴用のクッション材の両端を差し込むだけで、タオルの中央部分を簡単に膨らませることができ、背中は洗い易くなる。また、浴用のクッション材をタオルから取り外すことも楽であり、タオルを折り畳んで手足など背中以外を洗うには、厚ぼったさがないため扱い易く、タオルを濯ぎ絞ることも簡単である。
【図面の簡単な説明】
【０００８】
【図１】本発明の一対の切り込みを入れたパイル地のタオルの平面図である。
【図２】タオルにつけた一対の切り込みに、浴用スポンジの両端をはめ込んだ状態を示す図である。
【図３】図２の浴用スポンジをはめ込んだタオルをねじって丸めた状態を示す図である。
【符号の説明】
【０００９】
１    パイル地のタオル
２    一対の切り込み
３    浴用スポンジ
４    タオルをねじって丸めた状態
【図１】
2007167350.tif 000003
【図２】
2007167350.tif 000004
【図３】
2007167350.tif 000005
【手続補正書】
【提出日】平成18年3月15日(2006.3.15)
【手続補正１】
【補正対象書類名】特許請求の範囲
【補正対象項目名】請求項１
【補正方法】変更
【補正の内容】
【請求項１】
長方形のタオルの長さ方向の中心線を跨ぎ、かつ、タオルの幅方向の中心線からみて、
上または下半分のいずれかの領域に、浴用のクッション材を取り付け取り外すことができ
る長さ４ｃｍ〜５ｃｍ前後の一対の切り込みを、相互の間隔が１０ｃｍ〜２５ｃｍとなる
ように形成したタオル。
(57)【要約】      （修正有）【課題】自分の肩等への指圧を自らが容易に行えること目的として、椅子と梃子の原理を応用する部材との組合せでごく僅かな動作と労力で自身の身体への指圧効果を得ることが出来る椅子指圧器具を提供する。【解決手段】椅子と梃子を組み合わせて梃子の力点に負荷を架け人体で支点の負荷を受け椅子が作用点となることで人体に架かる支点の荷重で指圧効果を得ることを特徴とする。【選択図】なし【特許請求の範囲】
【請求項１】
椅子と梃子を組合せて梃子の力点に負荷を架け人体で支点の負荷を受け椅子が作用点となることで人体に架かる支点の荷重で指圧効果を得ることを特徴とする
【発明の詳細な説明】
【技術分野】
【０００１】
梃子の応用で電気  モーター等を用いず自身の身体を僅かの労力で容易に指圧できる
【背景技術】
【０００２】
椅子を使った指圧器具は機械式で高価で大きく椅子の原理を応用した指圧器具は少なく更に手動式は少ない
【発明の開示】
【発明が解決しようとする課題】
【０００３】
例えれば職場での就業中、自分の肩等の疲労を覚えても自身の身体を指圧することは難しく疲労を軽減解消できず放置しているのが現状である
【課題を解決するための手段】
【０００４】
椅子と梃子の応用の組合せで身体患部へ指圧効果を容易に与えることが出来る
【発明の効果】
【０００５】
この発明は機械式ではないので電源を必要とせずその為椅子全般の椅子の範疇に属する椅子に応用できてその上従来の椅子の大きさ重量を変えずに製造できる。結果椅子全般に応用できる。作業に集中したとき無意識に肩に腰に手が伸びている経験は誰しもがあると思う。しかし自己の手で身体患部を揉む、押す、動作は辛い。それを梃子の原理を応用して僅かな力と動作でこの効果を得られるので作業の妨げをすることなく短時間で準備を必要とせず身体患部への速攻指圧効果を期待できる
【発明を実施するための最良の形態】
【０００６】
椅子の範疇に納まる椅子なら男女の別無く体力を問わず応用できる
【産業上の利用可能性】
【０００７】
デスクワーク  勉学中、肩への疲労が出たとき作業を損なうことなく
疲労の軽減を図れることで能率向上に貢献できる
【図面の簡単な説明】
【０００８】
【図１】椅子本体の梃子の1-力点に負荷をかけるとき3-作用点が椅子にかかり2-支点に        かかる負荷を身体で受けていることを表示。
【符号の説明】
【０００９】
1                    
梃子の力点
2                    
梃子の支点
3                    
梃子の作用点
4                    
椅子
5                    
梃子
6                    
人体
【図１】
2007167468.tif 000002
(57)【要約】【課題】  自動監視で玄関扉をロックする場合に、見舞い客等の対象者外を閉じ込めてしまう弊害を緩和させるようにする。【解決手段】  遠隔操作により前記施設の出入りを行う玄関のロックを行う施錠手段と、室内の異常を検出する異常検出手段と、室毎に設定可能な遅延タイマー手段とからなり、異常検出手段が異常を検出すると異常が検出された室の遅延タイマー手段は、異常が検出されてから予め設定された遅延時間後に前記施錠手段で前記玄関のロックを行うようにしている。【選択図】      図１
2007167477.tif 000002
【特許請求の範囲】
【請求項１】
複数の室を有する施設における施錠システムであって、
遠隔操作により前記施設の出入りを行う玄関のロックを行う施錠手段と、
室内の異常を検出する異常検出手段と、
室毎に設定可能な遅延タイマー手段とからなり、
前記異常検出手段が異常を検出すると、異常が検出された室の遅延タイマー手段は、異常が検出されてから予め設定された遅延時間後に前記施錠手段で前記玄関のロックを行わせることを特徴とする施錠システム。
【発明の詳細な説明】
【技術分野】
【０００１】
本発明は状況に応じて施錠を行う施錠システムに関する。
【背景技術】
【０００２】
精神科の病棟等では患者が異常行動を起こし施設から抜け出してしまう場合がある。そのため、看護師や係員が患者を監視し、患者が施設から抜け出してしまうようなことがあれば、看護師や係員が遠隔操作にて玄関扉を施錠する技術が知られている（例えば、特許文献１など）。
【特許文献１】特開２００４-３４４５３８号公報
【発明の開示】
【発明が解決しようとする課題】
【０００３】
従来の方法では、看護師や係員が患者を監視しなければならないので、手間がかかってしまう。そこで本発明の第一の課題は、自動監視を行い玄関扉をロックすることである。ところで、自動監視で玄関扉をロックする場合、見舞い客等の対象者外を閉じ込めてしまう弊害が考えられる。そのため、本発明の更なる課題は、この弊害を少しでも緩和させることでもある。
【課題を解決するための手段】
【０００４】
上述した課題を解決するために、本発明では、遠隔操作により前記施設の出入りを行う玄関のロックを行う施錠手段と、室内の異常を検出する異常検出手段と、室毎に設定可能な遅延タイマー手段とからなり、異常検出手段が異常を検出すると異常が検出された室の遅延タイマー手段は、異常が検出されてから予め設定された遅延時間後に前記施錠手段で前記玄関のロックを行うことで課題を解決する。
【発明の効果】
【０００５】
異常を検出し、玄関ロックを行う際に、騒ぎ出した患者が玄関に達する直前まで、玄関ロックを遅延させるので、患者の逃走を防止するとともに、見舞い客等の対象者外を閉じ込めてしまう弊害を緩和させることができる。
【発明を実施するための最良の形態】
【０００６】
図１は、本発明を適用する病棟施設のレイアウトである。病室１〜６の夫々に異常検出手段（図示せず）が設置されている。
【０００７】
遅延タイマー手段には病室毎の固有の遅延時間が設定されている。夫々の時間は病室から玄関までの距離に比例して設定される。すなわち、玄関から遠く、玄関まで行くのに時間が掛かる病室の設定時間は長めに設定される。
【０００８】
さて、例えば病室１の患者が異常行動を起こし、逃げ出そうと玄関に向かったとする。病室１は玄関までの距離が長いので、玄関扉をロックするまでの時間が多めに設定されている。この時間を利用して、見舞い客等の対象者外を誘導非難させる。
【図面の簡単な説明】
【０００９】
【図１】本発明を適用する施設のレイアウトを示す図である。
【図１】
2007167477.tif 000003
(57)【要約】【課題】吊紐の横方向のずれ動きによる額縁等の傾きを防止できるようにする。【解決手段】吊紐を掛ける鉤先部１に底受部２を介して柄部３を連設し、柄部３の上端部に取付用の釘を挿通する釘穴４を設けた吊下フックにおいて、鉤先部１及び柄部３から底受部２へかけてそれぞれ挟持片５，６を設け、挟持片５，６の間隔が側面視で上方から下方へかけて狭くなり、その下部間に吊紐が挟まれるようにする。鉤先部１に掛けた吊紐が挟持片５，６の下部間に挟み込まれた状態で、底受部２により受け止められるので、吊紐の横方向のずれ動きが抑制され、額縁等の傾きが防止される。【選択図】図１
2007167199.tif 000002
【特許請求の範囲】
【請求項１】
吊紐を掛ける鉤先部に底受部を介して柄部を連設し、柄部の上端部に取付用の釘を挿通する釘穴を設けた吊下フックにおいて、鉤先部及び柄部から底受部へかけてそれぞれ挟持片を設け、これらの挟持片の間隔が側面視で上方から下方へかけて狭くなり、その下部間に吊紐が挟まれるようにしたことを特徴とする吊下フック。
【請求項２】
請求項１に記載の吊下フックにおいて、鉤先部から底受部へ至る挟持片と、柄部から底受部へ至る挟持片とを、横方向にずらして配置し、これらの挟持片の下部が側面視で重なるようにしたことを特徴とする吊下フック。
【発明の詳細な説明】
【技術分野】
【０００１】
この発明は、額縁等を吊り下げるための吊下フックに関するものである。
【背景技術】
【０００２】
一般に、額縁等を吊り下げる吊下フックとして、吊紐を掛ける鉤先部に底受部を介して柄部を連設し、柄部の上端部に取付用の釘を挿通する釘穴を設け、吊紐を受け止める底受部の上面を横方向に平坦としたものが使用されている。
【発明の開示】
【発明が解決しようとする課題】
【０００３】
しかしながら、上記のような吊下フックでは、額縁等を吊り下げたとき、吊紐が底受部の上面に沿って横方向にずれ動き、額縁等が傾きやすいという問題があった。
【０００４】
そこで、この発明は、吊紐の横方向のずれ動きによる額縁等の傾きを防止できる吊下フックを提供することを課題とする。
【課題を解決するための手段】
【０００５】
上記課題を解決するため、この発明は、吊紐を掛ける鉤先部に底受部を介して柄部を連設し、柄部の上端部に取付用の釘を挿通する釘穴を設けた吊下フックにおいて、鉤先部及び柄部から底受部へかけてそれぞれ挟持片を設け、これらの挟持片の間隔が側面視で上方から下方へかけて狭くなり、その下部間に吊紐が挟まれるようにしたのである。
【０００６】
また、前記吊下フックにおいて、鉤先部から底受部へ至る挟持片と、柄部から底受部へ至る挟持片とを、横方向にずらして配置し、これらの挟持片の下部が側面視で重なるようにしたのである。
【発明の効果】
【０００７】
この吊下フックでは、鉤先部に掛けた吊紐を、鉤先部から底受部へ至る挟持片と、柄部から底受部へ至る挟持片との下部間に挟み込んだ状態で、底受部により受け止めるので、吊紐の横方向のずれ動きが抑制され、額縁等の傾きを防止することができる。
【０００８】
また、挟持片を横方向にずらして配置し、その下部が側面視で重なるようにすると、吊紐がジグザグに曲げられるので、吊紐の横方向のずれが効果的に防止され、重量のある額縁等を吊り下げても、吊紐に局所的な負担がかかることがない。
【発明を実施するための最良の形態】
【０００９】
まず、この発明の第１実施形態を図１乃至図３に基づいて説明する。
【００１０】
この吊下フックは、吊紐Ｓを掛ける鉤先部１に底受部２を介して柄部３を連設し、柄部３の上端部に取付用の釘を挿通する釘穴４を設け、鉤先部１から底受部２へかけて挟持片５を２個、柄部３から底受部２へかけて挟持片６を３個設けたものとされている。
【００１１】
鉤先部１から底受部２へ至る挟持片５と、柄部３から底受部２へ至る挟持片６とは、横方向にずらして配置され、これらの挟持片５，６の間隔は、側面視で上方から下方へかけて狭くなり、挟持片５，６の下部は重なるようになっている。
【００１２】
このような吊下フックでは、鉤先部１に吊紐Ｓを掛けると、吊紐Ｓは、鉤先部１から底受部２へ至る挟持片５と、柄部３から底受部２へ至る挟持片６との下部間に挟み込まれた状態で、底受部２により受け止められるので、吊紐Ｓの横方向のずれ動きが抑制され、額縁等の傾きを防止することができる。
【００１３】
また、このとき、横方向にずらして配置された挟持片５，６により、吊紐Ｓがジグザグに曲げられるので、吊紐Ｓの横方向のずれが効果的に防止され、重量のある額縁等を吊り下げても、吊紐Ｓに局所的な負担がかかることがない。
【００１４】
なお、図４に示す第２実施形態のように、鉤先部１から底受部２へ至る挟持片５と、柄部３から底受部２へ至る挟持片６とを、横方向の位置を揃えて対向させてもよい。また、釘穴４を２個設け、二股状の釘７により取付面に固定するようしてもよい。
【図面の簡単な説明】
【００１５】
【図１】この発明に係る吊下フックの第１実施形態を示す斜視図
【図２】同上の側面図
【図３】同上の平面図
【図４】この発明に係る吊下フックの第２実施形態を示す斜視図
【符号の説明】
【００１６】
１  鉤先部
２  底受部
３  柄部
４  釘穴
５，６  挟持片
７  釘
Ｓ  吊紐
【図１】
2007167199.tif 000003
【図２】
2007167199.tif 000004
【図３】
2007167199.tif 000005
【図４】
2007167199.tif 000006